(57)【要約】【課題】大型の空調室を必要としない、小ロット生産に最適の簡易なコード空調装置を提供する。【解決手段】コード７を巻回した複数個のボビン５を、内部に多段または多列状として回転自由に軸架し、全体を不通気性の板材８により覆うとともに、板材８に、乾燥空気導入用のダクト接続口１１及びコード挿通孔９を穿設した移動可能の箱形の台車１と、ダクトホース１３により台車１のダクト接続口１１に接続される定置型の乾燥空気送出用の空調装置２とを備えるものとする。【選択図】　　　　図１
2004034458.tif 000002
【特許請求の範囲】
【請求項１】
コードを巻回した複数個のボビンを、内部に多段または多列状として、回転自由に軸架し、全体を不通気性の板材により覆うとともに、前記板材に、乾燥空気導入用のダクト接続口、及びコード挿通孔を穿設した移動可能の箱形の台車と、ダクトホースにより前記台車のダクト接続口に接続される定置型の乾燥空気送出用の空調装置とを備えることを特徴とするコード空調装置。
【請求項２】
空調装置を、作業場所に設置した請求項１記載のコード空調装置。
【請求項３】
空調装置を、保管場所に設置した請求項１または２記載のコード空調装置。
【請求項４】
空調装置を、床面下に埋設した請求項１〜３のいずれかに記載のコード空調装置。
【発明の詳細な説明】
【０００１】
【発明の属する技術分野】
本発明は、コード空調装置、特にタイヤやスチールベルトの生産のため、多数本のコード、例えばスチールワイヤやテキスタイルコード等を整列供給するコード空調装置に関する。
【０００２】
【従来の技術】
タイヤ生産用のスチールワイヤやテキスタイルコードは、ボビンに巻き取られ、台車に掛けられた状態で、その錆防止や湿気対策のため、台車ごと空調室に入れて湿度管理をしている。この空調室は、ボビン掛け替えやその他の準備のため、数台分の台車や荷受け置き場が入る大がかりな気密室となっている。大ロット対応のため、ボビン数は台車当たり１０００個にもなる空調室の面積は、５０メートル×３０メートルにも及ぶ場合もある。
【０００３】
【発明が解決しようとする課題】
このような大がかりな空調室は、単に床面積を徒に大きく占有するばかりでなく、初期コスト、ランニングコストのかかる大型で強力な空調装置の設置を必要とする。
これに加えて、小ロット生産が開発されるにつれ、必要なボビンの数は十数個ないし百個程度にまで減少してきており、従来のような大型の空調室では、採算が合わなくなってきている。
【０００４】
本発明は、上述の問題点に鑑み、大型の空調室を必要としない、小ロット生産に好適な簡易なコード空調装置を提供することを目的としている。
【０００５】
【課題を解決するための手段】
本発明によると、上記課題は、次のようにして解決される。
（１）コードを巻回した複数個のボビンを、内部に多段または多列状として、回転自由に軸架し、全体を不通気性の板材により覆うとともに、前記板材に、乾燥空気導入用のダクト接続口、及びコード挿通孔を穿設した移動可能の箱形の台車と、ダクトホースにより前記台車のダクト接続口に接続される定置型の乾燥空気送出用の空調装置とを備える。
【０００６】
（２）上記（１）項において、空調装置を、作業場所に設置する。
【０００７】
（３）上記（２）項において、空調装置を、保管場所に設置する。
【０００８】
（４）上記（１）〜（３）項のいずれかにおいて、空調装置を、床面下に埋設する。
【０００９】
【発明の実施の形態】
図１は、本発明のコード空調装置の一実施形態の使用状態を示す一部破断側面図、図２は、その台車の一部破断正面図、図３は、台車の一部破断背面図である。
【００１０】
本発明のコード空調装置は、床面上を移動可能な台車（１）と、定置型の空調装置（２）とから構成される。
【００１１】
台車（１）は、図１〜図３に示されているように、底部に車輪（３）が設けられた箱形のフレーム（４）を有し、このフレーム（４）の内部に、複数個のボビン（５）が、軸（６）により回転可能に装架されている。
図示の実施形態では、２個のボビン（５）が、中央の仕切（４ａ）に向かって下方に傾斜する１本の軸（６）に軸架され、このようなユニットが、上下３段、前後３列に配設され、全部で３６個のボビン（５）を支持しうるようになっている。
【００１２】
軸（６）は、左右方向に向き、ボビン（５）に巻回されているスチールワイヤまたはテキスタイルコード等（以下コードという）（７）は、台車前方に向けて引き出すことができる。
【００１３】
このようなフレーム（４）の全体、すなわち前面、両側面、後面、上面及び下面には、樹脂板または金属板のような不通気性の板材（８）が張り付けられており、台車（１）の内部を実質的に密封している。側面の板材（８）は、内部のボビン（５）の交換、コード（７）の導出等のため、開閉または取り外すことができる構造となっている。
【００１４】
台車（１）の前面の板材（８）には、コード（７）を通すコード挿通孔（９）（図２）が穿設されており、コード挿通孔（９）の背後には、上下に対をなす案内ローラ（１０）が設けられている。
【００１５】
台車（１）の後面には、乾燥空気導入用のダクト接続口（１１）が、板材（８）を貫通して取り付けられている。
また、台車（１）の後面上部には、把手（１２）が強固に取り付けられており、作業員は、この把手（１２）を掴んで台車（１）を移動させることができる。
【００１６】
空調装置（２）は、この実施形態の場合、床面下に埋設されており、ダクトホース（１３）により、台車（１）のダクト接続口（１１）に着脱自在に接続されている。
この空調装置（２）は、上述の小型の台車（１）の内部容積に見合う乾燥空気（例えば３５℃、３５％の乾燥空気）を供給するのに充分な能力のものであればよく、大型のものである必要はない。しかし、空調装置（２）の容量は、複数のコード挿通孔（９）や、開閉できる板材（８）の周囲からの漏れを考慮して設計される。例を挙げると、１００立方メートル／分の乾燥空気を発生できる程度とする。
【００１７】
また、空調装置（２）は、図１に示す作業場所、すなわち複数本のコード（７）を引き出してコードガイド（１４）により平面状に整列させ、図示しないゴムコーティング工程に送る作業ステーションに設置するだけでなく、台車（１）の保管場所にも設置するのがよい（図示省略）。
【００１８】
【発明の効果】
請求項１記載の発明によれば、従来の大型台車、巨大空調室の方式に比べて、スペース効率を大幅に向上させることができる。また、コードの種類等が増加すると、従来は台車増台のほかに、空調室の増設が必要であったが、本発明によると、台車を増すだけで対応でき、初期投資を最小限におさえることができる。
【００１９】
請求項２記載の発明によれば、台車内部のボビンに巻回されているコードの酸化や劣化を、作業中でも有効に防止することができる。
【００２０】
請求項３記載の発明によれば、保管中の台車内部のボビンに巻回されているコードの酸化や劣化を、有効に防止することができる。
【００２１】
請求項４記載の発明によれば、スペース効率を最大限とすることができる。
【図面の簡単な説明】
【図１】本発明のコード空調装置の一実施形態の使用状態を示す一部破断側面図である。
【図２】図１に示す台車の一部破断正面図である。
【図３】同じく、台車の一部破断背面図である。
【符号の説明】
（１）台車
（２）空調装置
（３）車輪
（４）フレーム
（４ａ）仕切
（５）ボビン
（６）軸
（７）コード
（８）板材
（９）コード挿通孔
（１０）案内ローラ
（１１）ダクト接続口
（１２）把手
（１３）ダクトホース
（１４）コードガイド
【図１】
2004034458.tif 000003
【図２】
2004034458.tif 000004
【図３】
2004034458.tif 000005